(57)【特許請求の範囲】
【請求項１】
熱交換器で熱交換された冷風／温風を吹き出す吹出口に取り付けられ、吹出口より吹き出される冷風／温風の風向きを変える着脱ブレード部と、この着脱ブレード部と別体の部材で構成されこの着脱ブレード部を吹出口に固定する固定部とを備えた空気調和機において、
前記着脱ブレード部は、吹出口と嵌合する基部と、この基部に間隔を空けて回動自在に軸支された複数のブレードと、これらブレードを連結して各ブレードを左右方向に回動する連動板とを備え、
前記固定部は、前記吹出口と嵌合して前記着脱ブレード部の基部を固定する台部と、この台部に設けられこの固定部を前記吹出口から着脱容易にする操作片とを備えることを特徴とする空気調和機。
【請求項２】
前記固定部の操作片は、前記吹出口からの風の流れに沿った方向に設けられることを特徴とする請求項１記載の空気調和機。
【請求項３】
前記操作片の側面形状は略円弧状となっており、この円弧部に指を係合させることにより固定部が前記吹出口から容易に取り外せるようにしたことを特徴とする請求項１乃至２記載の空気調和機。
【請求項４】
前記操作片の円弧部はその開口が前記吹出口の内側を向いていることを特徴とする請求項３記載の空気調和機。
【発明の詳細な説明】
【０００１】
【発明の属する技術分野】
この発明は、空気調和機に関し、特に調温された空気を吹き出す吹出口の風向制御装置に関する。
【０００２】
【従来の技術】
従来より、空気調和機は壁面に取り付けられて使用するものが普及している。
【０００３】
この種の空気調和機のブレード部の風向制御に関して特開平９−４９１６号公報に記載の空気調和機が提案されていた。
【０００４】
この空気調和機は吹出口に着脱自在にブレード部を備えてこのブレード部を外すことにより送風ファンの清掃を容易に行うことができたが、ブレード部の駆動方法は手動によるものであった。
【０００５】
【発明が解決しようとする課題】
このため、空気調和機の風向を変える場合に空気調和機の設置場所に行き直接、手で操作する必要があった。
【０００６】
そこでブレード部をモータ駆動にして風向切り替えをリモートコントローラで行いたいと言う要望が強くなっていた。
【０００７】
そこで、本発明は、上述の点に考慮して、風向切り替えが容易て゛且つ、着脱自在なブレード部を備えた空気調和機を提供することを目的とする。
【０００８】
【課題を解決するための手段】
上記課題を解決するため、請求項１にかかる発明は、熱交換器で熱交換された冷風／温風を吹き出す吹出口に取り付けられ、吹出口より吹き出される冷風／温風の風向きを変える着脱ブレード部と、この着脱ブレード部と別体の部材で構成されこの着脱ブレード部を吹出口に固定する固定部とを備えた空気調和機において、前記着脱ブレード部は、吹出口と嵌合する基部と、この基部に間隔を空けて回動自在に軸支された複数のブレードと、これらブレードを連結して各ブレードを左右方向に回動する連動板とを備え、前記固定部は、前記吹出口と嵌合して前記着脱ブレード部の基部を固定する台部と、この台部に設けられこの固定部を前記吹出口からの着脱容易にする操作片とを備えることを特徴とする。
【０００９】
請求項２にかかる発明は、固定部の操作片は、吹出口からの風の流れに沿った方向に設けられることを特徴とする。
【００１２】
請求項３にかかる発明は、操作片の側面形状は略円弧状となっており、この円弧部に指を係合させることにより固定部が吹出口から容易に取り外せるようにしたことを特徴とする。
【００１３】
請求項４にかかる発明は、操作片の円弧部はその開口が吹出口の内側を向いていることを特徴とする。
【００１４】
【発明の実施の形態】
以下、本発明の２つの実施例を図面を参照して説明する。
（実施例１）
図１は、本発明の実施例１を示す空気調和機の略中央断面の説明図である。
【００１５】
図１において１は、本発明の実施例を示す空気調和機の室内機で、室外機（図示せず）とユニット間配管で接続されて空気調和機を構成する。
【００１６】
この室内機１のケースは、前面側の前ケース部２Ａと、この前ケース部２Ａの前部に設けられ室内の空気の吸気口を備えた吸込パネル２Ｂと、背面側の後ケース部２Ｃとで構成されている。
【００１７】
４は、室内の空気を加熱／冷却する熱交換器で、その配管内を冷媒が通過することにより、冷房／除湿運転時に冷却器として機能し、暖房運転時には加熱器として機能するものである。
【００１８】
５は送風ファンで、室内の空気を吸込パネル２Ｂから吸い込み、熱交換器４で加熱／冷却して再び室内に循環させるものである。
【００１９】
６は、熱交換器４からのドレン水を溜め排出するためのドレンパン、７は送風ファン５により吸引される室内の空気の比較的大きな塵を除塵するエアフィルタ、８はエアフィルタ７を通過した室内の空気の比較的細かい塵を更に除塵する空気清浄フィルタである。
【００２０】
９は送風ファン５で加速され再び室内に吹き出される冷風／温風の吹出口、９Ａは吹出口９に取付られて吹出口９から吹き出す冷風／温風の上下風向を制御するフラップ部、１０は同じく左右風向を制御するブレード部である。このドレンパン６と吹出口９とは、図１に示すように一体に成形されている。
【００２１】
ここでブレード部１０について図２乃至図４を参照して詳細に説明する。
【００２２】
図２は、本発明の実施例１を示す空気調和機の分解したブレード部の上面説明図である。図３は、本発明の実施例１を示す空気調和機の吹出口の断面説明図である。図４は、本発明の実施例１を示す空気調和機のブレード部の脱着手順を示す下面説明図である。
【００２３】
ブレード部１０は、モータ１１Ａに直接駆動される直動ブレード部１１と、直動ブレード部１１と直動ブレード部１１の連動部１１Ｂを介して連結駆動される着脱ブレード部１３と、着脱ブレード部１３を固定する固定部１４とで構成されている。
【００２４】
直動ブレード部１１は、モータ１１Ａと、モータ１１Ａで駆動されるブレード１１Ｃと、ブレード部１０を回動自在に軸支する固定部１１Ｄと、ブレード１１Ｃと着脱ブレード部１３とを連結する連動部１１Ｂとで構成されている。
【００２５】
着脱ブレード部１３は、吹出口９の爪（図示せず）と嵌合する基部１３Ａと、この基部１３Ａに間隔を空けて回動自在に軸支された複数のブレード１３Ｂと、これらブレード１３Ｂを連結して各ブレード１３Ｂを左右方向に回動する連動板１３Ｃとを備え、着脱ブレード部１３は吹出口９に着脱自在に設けられている。着脱ブレード部１３の左端のブレード１３Ｂは、直動ブレード部１１のブレード１１Ｃと連動部１１Ｂを介して連結されている。上述したブレード１３Ｂと連動板１３ＣとはＰＰ樹脂等で一体に成形されることにより組立を容易にすることができる。
【００２６】
固定部１４は、吹出口９の穴（図示せず）と嵌合して着脱ブレード部１３を固定する台部１４Ａと、この台部１４Ａの中央に直立した操作片１４Ｂとで構成され、固定部１４は吹出口９に着脱自在に設けられている。また操作片１４Ｂは、吹出口からの風の流れに沿って薄板状に設けられると共に、吹出口９の略中央部に吹出口９のの上下を繋ぐように設けられた支持リブ９Ａの略下流側（図２の一点鎖線参照）に設けられることにより通風抵抗を減少させて風切り音を無くすと共に外観もすっきりさせることが可能となる。
【００２７】
上述したようにブレード部１０が構成されているので、リモートコントローラを用意することにより、ユーザーはリモートコントローラで空気調和機の風向を操作することができる。
【００２８】
ここでブレード部１０の脱着について説明する。
【００２９】
ユーザーはまず空気調和機の電源を切り、図３，４に示すように、室内機１の吹出口９の左端にある連動部１１Ｂの着脱ブレード部１３との連結を外す（図４（Ａ）参照）。
【００３０】
次に吹出口９の下部中央にある固定部１４をその操作片１４Ｂを持って取り外す（図４（Ｂ）参照）。
【００３１】
次に吹出口９の下部にある着脱ブレード部１３の両端のブレード１３Ｂを両手で持って手前に引きながら外す（図４（Ｃ）参照）。
【００３２】
この時ユーザーが誤って空気調和機の電源を切り忘れても良いように、着脱ブレード部１３の左端下面の吹出口９にマイクロスィッチ１５が設けられ、着脱ブレード部１３を外すとマイクロスィッチ１５が働いて電源が切断するような制御手段が設けられている（図３参照）。
【００３３】
ブレード部１０の装着については上述した方法を逆に行えばよい。
【００３４】
上述したようにしてブレード部１０を外すと共にフラップ部９Ａを下方に向けることにより吹出口９から送風ファン５を容易に清掃することが可能になる。
（実施例２）
次に、本発明の実施例２について実施例１との相違点である固定部１４の操作片１４Ｂについて図５、図６を参照して説明する。
【００３５】
図５は、本発明の実施例２を示す空気調和機の吹出口の断面説明図である。図６は、本発明の実施例２を示す空気調和機のブレード部の脱着手順を示す下面説明図である。
【００３６】
着脱ブレード部１３を固定する固定部１４は、吹出口９の穴（図示せず）と嵌合して着脱ブレード部１３を固定する台部１４Ａと、この台部１４Ａの中央に直立した操作片１４Ｂとで構成され、固定部１４は吹出口９に着脱自在に設けられている。図５に示すように、操作片１４Ｂの側面形状は開口が吹出口の内側を向いた略円弧状となっている。
【００３７】
ここでブレード部１０の脱着について図５，図６に基づいて説明する。基本的な脱着方法は実施例１と共通であるが、固定部１４は操作片１４Ｂの円弧部１４Ｃに指１６を係合させて手前に引くことにより容易に吹出口９から固定部１４を取り外すことができる。（図６（Ｂ）参照）
なお、本発明は上述した実施例に限定されず、本発明の要旨を逸脱しない範囲で種々変形可能である。
【００３８】
【発明の効果】
以上説明したように、請求項１にかかる発明によれば、熱交換器で熱交換された冷風／温風を吹き出す吹出口に取り付けられ、吹出口より吹き出される冷風／温風の風向きを変える着脱ブレード部と、この着脱ブレード部と別体の部材で構成されこの着脱ブレード部を吹出口に固定する固定部とを備えた空気調和機において、前記着脱ブレード部は、吹出口と嵌合する基部と、この基部に間隔を空けて回動自在に軸支された複数のブレードと、これらブレードを連結して各ブレードを左右方向に回動する連動板とを備え、前記固定部は、前記吹出口と嵌合して前記着脱ブレード部の基部を固定する台部と、この台部に設けられこの固定部を前記吹出口から着脱容易にする操作片とを備えたので、着脱の容易なブレード部を備えた空気調和機を提供することができる。
【００３９】
請求項２にかかる発明によれば、固定部の操作片は、吹出口からの風の流れに沿った方向に設けられることにより、音が静かで且つ、着脱の容易なブレード部を備えた空気調和機を提供することができる。
【００４２】
請求項３にかかる発明によれば、操作片の側面形状は略円弧状となっており、この円弧部に指を係合させることにより固定部が吹出口から容易に取り外せるようにしたことにより、風向切り替えが容易な空気調和機を提供することができる。
【００４３】
請求項４にかかる発明によれば、操作片の円弧部はその開口が吹出口の内側を向いていることにより、風向切り替えが容易な空気調和機を提供することができる。
【図面の簡単な説明】
【図１】本発明の実施例を示す空気調和機の略中央断面の説明図である。
【図２】本発明の実施例１を示す空気調和機の分解したブレード部の上面説明図である。
【図３】本発明の実施例１を示す空気調和機の吹出口の断面説明図である。
【図４】本発明の実施例１を示す空気調和機のブレード部の脱着手順を示す説明図である。
【図５】本発明の実施例２を示す空気調和機の吹出口の断面説明図である。
【図６】本発明の実施例２を示す空気調和機のブレード部の脱着手順を示す説明図である。
【符号の説明】
１    室内機
２Ａ  前ケース部
２Ｃ  後ケース部
４    熱交換器
５    送風ファン
６    ドレンパン
７    エアフィルタ
９    吹出口
９Ａ  支持リブ
１０  ブレード部
１１  直動ブレード部
１３  着脱ブレード部
１４  固定部
１４Ｂ  操作片
１４Ｃ  円弧部
１５  マイクロスィッチ
１６  指
【図１】
0004739512.tif 000002
【図２】
0004739512.tif 000003
【図３】
0004739512.tif 000004
【図４】
0004739512.tif 000005
【図５】
0004739512.tif 000006
【図６】
0004739512.tif 000007